(57)【要約】  容器表面に直接接触する構造化硬化ワニスコーティングを有する一体成型容器が提供される。構造化硬化ワニスコーティングにより、１つ以上の視覚的効果が生み出される。【特許請求の範囲】
【請求項１】
三次元物品であって、該物品は、前記物品の表面に直接接触する構造化硬化ワニスコーティングを備えており、前記構造化硬化ワニスコーティングにより１つ以上の視覚的効果が生み出されることを特徴とする三次元物品。
【請求項２】
前記物品が衝撃押出し型である、請求項１に記載の物品。
【請求項３】
前記物品が一体成形型である、請求項１に記載の物品。
【請求項４】
前記物品が一体成形容器である、請求項１に記載の物品。
【請求項５】
前記物品が容器またはチューブである、請求項２に記載の物品。
【請求項６】
前記物品が消費者製品、パッケージまたはこれらの構成要素である、請求項２から３のいずれか一項に記載の物品。
【請求項７】
前記容器が密閉部のための嵌合具を有する、請求項４に記載の一体成型容器。
【請求項８】
前記物品が少なくとも１つの曲面を備えており、前記ワニスコーティングの少なくとも一部が前記曲面に直接接触する、請求項１〜７のいずれか一項に記載の物品。
【請求項９】
前記物品が少なくとも１つの線織面を備えており、前記ワニスコーティングの少なくとも一部が前記線織面に直接接触する、請求項１〜８のいずれか一項に記載の物品。
【請求項１０】
前記物品が少なくとも１つの平面を備えており、前記ワニスコーティングの少なくとも一部が前記平面に直接接触する、請求項１〜９のいずれか一項に記載の物品。
【請求項１１】
前記物品がカバー、キャップおよび蓋からなる群から選択される、請求項１〜１０のいずれか一項に記載の物品。
【請求項１２】
前記構造化硬化ワニスコーティングが前記物品の前記表面の８０％未満に施された、請求項１〜１１のいずれか一項に記載の物品。
【請求項１３】
前記物品が１つ以上のインクを含み、前記容器の前記表面に直接接触する、請求項１〜１２のいずれか一項に記載の物品。
【発明の詳細な説明】
【技術分野】
【０００１】
本発明は、容器表面に直接接触する構造化硬化ワニスコーティングを有する一体成型容器に関する。構造化硬化ワニスコーティングにより、１つ以上の視覚的効果が生み出される。
【背景技術】
【０００２】
消費者製品において有用な成型品には、包装としても、消費者製品自体としても、様々な種類がある。パッケージの多くは、製品の移送及び保管の実用的手段として機能し、かつ、売り手と消費者との間のコミュニケーションリンクとしても機能する。ラベル表示、様式的な図形、色及びコントラストの使用、並びに触感及び感触などの指標はすべて、消費者が所望する製品を選択するのを補助し、消費者と消費者が購入する製品のブランドとの間の強力な結びつきを構築し得るシグナルである。成型品が消費者製品自体である場合、表面の指標は、製品全体の美観の重要要素となり得る。
【発明の概要】
【発明が解決しようとする課題】
【０００３】
消費者への視覚的インパクトを増大させるために、特別な包装及びラベルが作成されてきた。ホログラフィック効果など、いくつかの視覚的効果により、強力な視覚的インパクトが得られるが、製造費も高価である。このため、さらに経済的費用で、強力な視覚的インパクトを有する成型品が依然として必要とされている。
【課題を解決するための手段】
【０００４】
構造化硬化ワニスコーティングを有する一体成型容器を提供する。構造化硬化ワニスコーティングにより、１つ以上の視覚的効果が得られる。その結果として得られる印刷容器は、製品の包装のためかつ完成品として、強力な視覚的インパクトを与えることができる。
【０００５】
一実施形態では、容器は密閉部のための嵌合具を有する。別の実施形態では、容器は、消費者製品またはパッケージもしくはこれらの構成要素である。第三の実施形態では、容器は、少なくとも１つの曲面を備え、ワニスコーティングの全体または一部が曲面に直接接触する。
【０００６】
別の実施形態では、容器は、少なくとも１つの線織面を備え、ワニスコーティングの全体または一部が線織面に直接接触する。さらに別の実施形態では、容器は、少なくとも１つの平面を備え、ワニスコーティングの全体または一部が平面に直接接触する。
【０００７】
一実施形態では、一体成型容器は、本物品の表面に直接接触する構造化硬化ワニスコーティングを有するカバー、キャップおよび蓋からなる群から選択される物品を具備する。
【０００８】
別の実施形態では、一体成型容器は、容器表面の８０％未満に施された構造化硬化ワニスコーティングを有する。代替実施形態では、一体成型容器は、容器表面の８０％超に施された構造化硬化ワニスコーティングを有する。さらに別の実施形態では、一体成型容器は、高さ（Ｈ）、幅（Ｗ）および深さ（Ｄ）の寸法を有し、寸法Ｈ、ＷおよびＤは、長さがそれぞれ少なくとも２ｍｍである。一実施形態では、容器は１種以上の熱可塑性ポリマーを含有する。
【０００９】
別の実施形態では、１つ以上のインクおよび構造化硬化ワニスコーティングを備える一体成型容器が提供される。さらに、ワニスコーティング、インクまたはこれらを組み合わせたものは、容器表面に直接接触する。構造化硬化ワニスコーティングにより、１つ以上の視覚的効果が生み出される。一実施形態では、本物品は一体成型である。別の実施形態では、本物品は、さらに蝶番または蝶番の一部を具備する。別の実施形態では、本物品は１種以上の熱可塑性ポリマーを含有する。
【００１０】
さらなる実施形態では、本物品表面に直接接触する構造化硬化ワニスコーティングを含む三次元形状を有する衝撃押出し型物品が提供される。構造化硬化ワニスコーティングにより、１つ以上の視覚的効果が生み出される。一実施形態では、衝撃押出し型物品は、消費者製品またはパッケージまたはこれらの構成要素である。別の実施形態では、衝撃押出し型物品は、容器またはチューブである。
【００１１】
別の実施形態では、三次元形状を有する衝撃押出し型物品が提供される。本物品は、１つ以上のインクおよび構造化硬化ワニスコーティングを有する。ワニスコーティング、インクまたはこれらを組み合わせたものは、本物品表面に直接接触する。さらに、構造化硬化ワニスコーティングにより、１つ以上の視覚的効果が生み出される。
【発明を実施するための形態】
【００１２】
本発明は、構造化硬化ワニスコーティングを有する一体成型容器に関する。事実上、成型品を使用できるすべての用途において、本発明の利点を享受し得る。成型品は、消費者製品、容器などとして使用できる。
【００１３】
本明細書で使用するとき、「キャップ」は、ボトルまたはチューブなどの容器で使用される密閉部を意味する。
【００１４】
本明細書で使用するとき、「密閉部」は、容器の密閉または封止で使用される任意のデバイスを意味する。密閉部は、キャップ、カバー、蓋、プラグ、フィルム、箔、膜などであってよい。
【００１５】
本明細書で使用するとき、「消耗品」は、消費者製品を意味する。
【００１６】
本明細書で使用するとき、「消費者製品」は、個人の身体、家、車または私的所有物の清掃、保守点検および／または改善のために、個人によって使用されることを意図されている製品を意味する。消費者ケア製品としては、液体、ゲル、懸濁液、粉体などの形態が挙げられる。消費者ケア製品は、個人の家もしくは車において、または専門的環境、商業的環境および／または産業的環境において使用されてもよい。消費者製品カテゴリーの例示的非限定例としては、制汗剤、ベビーケア剤、オーデコロン、商品（卸売市場、産業市場および商業市場の類似品から消費者志向の消費者製品など）、化粧品、脱臭剤、食器用洗剤、女性用保護剤、ヘアケア剤、染毛剤、ヘルスケア剤、家庭用洗剤、失禁ケア剤、洗濯製品、口腔ケア剤、紙製品、パーソナルクレンジング、使い捨て吸水性物品、ペット用ヘルスケア剤および栄養剤、処方薬、高級香水、スキンケア剤、スナック菓子および飲料、特別な布地ケア剤、剃毛剤および他の育毛管理製品、小型電化製品、デバイスおよび電池が挙げられるさまざまな製品形態が、これらの製品カテゴリーそれぞれの範囲に含まれ得る。代表的な製品形態及び商標は、Ｐｒｏｃｔｅｒ  ＆  Ｇａｍｂｌｅ社のウェブサイト（ｗｗｗ．ｐｇ．ｃｏｍ）、及びここにリンクされているサイトに示されている。上に列挙したもの以外の製品カテゴリーの一部である消費者製品もまた、本発明によって考慮され、並びに、上述で確認したウェブサイトに開示されたもの以外の別の製品の形態及びブランドもまた、本発明によって包含されることが理解されよう。
【００１７】
本明細書で使用するとき、「容器」は、その容積の範囲内で、本製品の保管、供給、輸送を行うため任意の製品を保持するまたは具備するために使用する要素を意味する。
【００１８】
本明細書で使用するとき、「曲面」は、本表面の少なくとも１つの断面が直線でない、任意の表面を意味する。
【００１９】
本明細書で使用するとき、「繊維形態」は、任意の繊維材料（典型的には、パルプ繊維を含む）が鋳型中で特定の形状に形成される工程によって生成される任意の部分を意味する。
【００２０】
本明細書で使用するとき、「鍛造」は、金属が加熱され、叩解もしくは打込みによりその形状にする方法か、または機械プレスもしくは液圧プレスを用いて高圧を印加する方法のいずれかによって金属が成形される製造工程を意味する。
【００２１】
本明細書で使用するとき、「ハンドル」は、本体を使用するまたは移動させるために本体に取り付けられた把持部を意味する。ハンドルは、洗剤ボトルなどの本体に直接一体化させることができるか、または別の物体に固定させる分離されている部品とすることができる。
【００２２】
本明細書で使用するとき、「筺体」は要素を固定して、デバイス、機構などの機能的構成要素を具備する外装を提供する２つ以上の構成要素から成る収納体を意味する。
【００２３】
本明細書で使用するとき、用語「指標」は、情報を伝達するために使用できるマーク又は表示を指す。伝達される情報とは、製造元、パッケージ内の製品の特性、パッケージ内の製品数量、パッケージ内の製品の品質又はその他のあらゆる情報の表示であり得る。指標は、特定の建物用断熱材の製造元を示すために薄いピンクなどの単色とすることができる。指標は、特定の小売店舗を示すために、射手の訓練に使用される、的に似た図形などの記号であってよい。指標は、任意の言語での文章又は言語コミュニケーションの代表的な言語を組み合わせた文章であってよい。指標には、スコッチキルトによく見られるような色、線又はこれらの組み合わせのパターンであってよく、また、粘着テープの製造元を示すためにも使用可能である。指標は、特定のコンピューターブランドの製造元を示すアップルなど、有形物の図であってもよい。指標は、有形物又は想像上の構成又はあらゆる種類のマーキングを表現するアートワークであってもよい。１つの単色ドットも指標になり得る。パッケージを形成するために使用した材料がかさかさと音を立てるとき、その種類、質感、嗅覚又は音が指標となり得る。指標は、前述の指標のいずれか及びすべての組み合わせであってよい。
【００２４】
本明細書で使用するとき、「インク」は、画像、テキストまたはデザインを生成するために表面の着色に使用される着色成分を保有する（色素、染料など）液体またはペーストを意味する。産業で使用される典型的なインクは、ＵＶ（紫外線）硬化、ＥＢ（電子線）硬化、放射線硬化溶剤および水性である。インクは、液体形態であることが多く、少なくとも１種の顔料又は染料を含む。化学的に、多くのインクは、有機顔料又は無機顔料の懸濁液であり、安定化のためにポリマー樹脂に組み込まれている。これらの系の担体は、溶剤である。溶剤は、水、炭化水素又はこれらの混合物（例えばアルコール、エステル、アセテート、エーテルなど）であってよく、熱又は赤外線（ＩＲ）を介して乾燥される。
【００２５】
インキは、グラビア印刷、フレキソ印刷およびオフセット印刷、凸版印刷、リソグラフィ、プレートレス印刷、ポストプレス印刷、デジタル印刷、パッド印刷およびスクリーン印刷を含むが、それに限定されない当業者に既知の任意の方法によって塗布することができる。グラビア印刷では、液体インクが、金属画像担体から基材に直接転写される。画像は、画像担体基材の表面より低い位置にある。フレキソ印刷では、液体インクが、感光性樹脂画像担体から基材に直接転写される。画像は、画像担体基材の表面の上に隆起される。オフセット印刷では、ペーストインクが、基材と薄金属画像担体との中間であるゴム「ブランケット」から基材に間接転写される。プレートレス印刷の例には、電子印刷、インクジェット印刷、マグネトグラフィー、イオンデポジション印刷、直接帯電式蒸着印刷、及びＭｅａｄ社のサイカラー写真カプセルプロセスなどが挙げられる。
【００２６】
溶剤系インクは、熱乾燥できる第１インク層がフィルムに塗布されると、その中に含まれている溶媒は、蒸発できるか、又は蒸発を引き起こすことができる。上述の特許に記載されているような印刷システムを使用すると、次のインク層を塗布するまでの時間が短縮されるように、熱又は押込空気によって溶剤の蒸発が発生することが好ましい。第１インク層を塗布すると、その後のインク層（存在する場合には）はいずれも、同様の標準的な方法で塗布される。
【００２７】
本明細書で使用するとき、「一体」は、単回成形操作、および／もしくはスラッグなど単一材料の使用および／もしくは材料のシングルショットまたはダブルショットなどによって形成されていることを意味する。
【００２８】
本明細書で使用するとき、「衝撃押出し型」は、材料を押し付けるか、または描画することによって、金型を介して生成され、その結果、多くの場合、固定断面プロファイルが得られる部品を意味する。出発材料としては、円盤状、立方体状または他の構造状の形状での様々な金属または熱可塑性物質のスラグが挙げられるが、これらに限定されない。
【００２９】
本明細書で使用するとき、「成型」は、もっとも多くの場合、出発形状が微小ビーズまたはペレットであり、次いで、複数の方法で特定の穴形状を有する型穴に移送される溶融樹脂となるまで加熱する工程を介して融解性材料（一般に熱可塑性ポリマー）を用いて製造される任意の物品を意味する。可塑物は、型穴内に保持され、冷却され、次いて、本質的に鋳型の穴形状を複製する形状を有する凝固部として取り外される。
【００３０】
本明細書で使用するとき、「非線織面」は、以下の説明に適合する表面と定義される。非線織面の表面Ｓでは、Ｓ上に任意の点があり、その点を介してＳ上に直線が存在しない。
【００３１】
本明細書で使用するとき、「パッケージ」は、その機能により製品の保持および保護が行われ、かつ、アートワークおよび視覚的効果の搬送手段として機能する材料の任意の組み合わせを意味する。
【００３２】
本明細書で使用するとき、「平面」は、平坦な二次元面を意味する。
【００３３】
本明細書で使用するとき、用語「プライマー」は、一般的な印刷プロセスを用いて基材上に施される材料を指し、その主要な機能として、下部の材料層とその後に印刷された層との間に（ａ）接着（ｂ）防壁を作り出す。この場合、「接着」を促進させるとは、材料が互いに結合し、正常な使用下において分離しないように、下部の材料層とその後に印刷された層との間にフィルムの結合を作り出すことを意味する。化学的に、プライマーは、溶媒マトリックス（いくつかの炭化水素の混合物）でのポリマー樹脂の懸濁液、又は、水中におけるポリマー樹脂の懸濁液である。プライマーは、重合化（熱乾燥のみ）の有無にかかわらず、一液系又は二液系であってよい。化学的に（例えばイソシアネート及びウレタン）又は放射線（ラジカル放射線源又はカチオン放射線源、紫外線、電子ビーム又はその他）によって、重合化を引き起こすことができる。
【００３４】
本明細書で使用するとき、「放射線硬化型」は、材料を電離放射線に曝露することを指す。これにより、材料を重合化及び／又は架橋する。電離放射線の有用なタイプには、紫外線、電子線（電子ビーム）、Ｘ線、コロナ放電など、かつて好ましいとされていたものが挙げられる。源に関係なく、電離放射線の線量は、ワニスと重合化し、架橋するほど十分に高いが、基礎となる印刷マーキング又はフィルム表面を劣化させるほど高くはない線量であることが好ましい。
【００３５】
本明細書で使用するとき、「線織面」は、以下の説明に適合する表面と定義される。表面Ｓは、Ｓの各点からＳ上に直線が存在する。
【００３６】
本明細書で使用するとき、「構造化硬化ワニスコーティング」は、ナノまたはミクロ構造が層の表面上に存在するなどの方法でパターン形成され、硬化されたワニス層を意味し、本構造によって視覚的効果が生み出される（もっとも一般的には光回折によって生み出される）。この構造は、部分／ワニス境界面の反対側にあるコーティング表面上に存在する。
【００３７】
本明細書で使用するとき、「熱成形」は、プラスチックシートを曲げやすい成形温度まで加熱し、鋳型および／またはプラグを備える特定の形状に形成する工程により製造される部分を意味する。
【００３８】
本明細書で使用するとき、「三次元形状」は、形状全体を計測して、ｘ、ｙおよびｚ方向においてゼロ次元のない連続形状を意味する。
【００３９】
本明細書で使用するとき、用語「ワニス」は、色素を含まず、通常、液体である、硬化可能な材料を指す。本発明において有用なワニスは、回折格子にパターンを形成し、硬化後、この回折格子を保持することができる。ワニスは、通常、放射線硬化性である。好ましくは、ワニスは紫外線硬化性であり、これは紫外線を用いて硬化させることを意味する。またはワニスは電子線硬化性であり、これは電子線放射を用いて硬化させることを意味する。ワニスは透明であるが淡彩であり、他の着色剤をワニスに添加して、若干色を加えることができる。一実施形態では、ワニスはインクおよびワニスのあらゆる組み合わせの上層となる。
【００４０】
本明細書で使用するとき、「視覚的効果」は、反射、回折、屈折される光パターンか、または典型的な反射色のほかにヒトが肉眼で確認できるいくつかの光パターンを生み出す他の光学現象を意味する。典型的な視覚的効果としては、ホログラム、鏡面反射、色などが挙げられる。
【００４１】
本明細書で使用するとき、「溶着」は、単一材料の複数の端部を接合することによって形成された部分、または互いに結合させると、融合した液体が凝固し、その結果、結合領域が連続固体となるような部分を液体化させて、材料の分離している部分を共に加えて形成された部分を意味する。ポリマー部分を溶着する方法としては、熱源、音波源および摩擦源から誘導されるエネルギーが挙げられる。
【００４２】
本発明の一実施形態では、容器表面に直接接触する構造化硬化ワニスコーティングを有する一体成型容器が提供される。構造化硬化ワニスコーティングにより、１つ以上の視覚的効果が生み出される。
【００４３】
別の実施形態では、一体成型容器は密閉部のための嵌合具を有する。別の実施形態では、容器は、消費者製品またはパッケージまたはこれらの構成要素である。
【００４４】
一実施形態では、一体成型容器は、本物品の表面に直接接触する構造化硬化ワニスコーティングを有するカバー、キャップおよび蓋からなる群から選択される物品を具備する。
【００４５】
別の実施形態では、容器は、少なくとも１つの曲面を備え、本ワニスコーティングの全体または一部がこの曲面に直接接触する。一実施形態では、容器は、少なくとも１つの線織面を備え、ワニスコーティングの全体または一部が線織面に直接接触する。
【００４６】
別の実施形態では、容器は、少なくとも１つの平面を備え、ワニスコーティングの全体または一部が平面に直接接触する。一実施形態では、容器は、少なくとも１つの曲面を備え、ワニスコーティングの全体または一部が曲面に直接接触する。
【００４７】
別の実施形態では、容器表面の８０％未満に構造化硬化ワニスコーティングを施す。一実施形態では、容器は、高さ（Ｈ）、幅（Ｗ）および深さ（Ｄ）の寸法を有し、この寸法Ｈ、ＷおよびＤは、長さがそれぞれ少なくとも２ｍｍである。
【００４８】
本発明の別の実施形態では、１つ以上のインク、構造化硬化ワニスコーティングを備え、ワニスコーティング、インクまたはこれらの組み合わせが容器表面に直接接触する一体成型容器が提供される。さらに、構造化硬化ワニスコーティングにより、１つ以上の視覚的効果が生み出される。一実施形態では、容器は、消費者製品またはパッケージまたはこれらの構成要素である。
【００４９】
別の実施形態では、容器は、少なくとも１つの曲面を備え、ワニスコーティングの全体または一部が曲面に直接接触する。本発明の別の実施形態では、カバー、キャップ、蓋、筺体およびハンドルからなる群から選択される物品が提供される。物品は、物品の表面に直接接触する構造化硬化ワニスコーティングを含み、構造化硬化ワニスコーティングにより１つ以上の視覚的効果が生み出される。一実施形態では、本物品は一体成型である。別の実施形態では、本物品は、さらに蝶番または蝶番の一部を具備する。一実施形態では、カバー、キャップ、蓋、筺体およびハンドルからなる群から選択され、１種以上の熱可塑性ポリマーを含有する。
【００５０】
本発明の一実施形態では、物品は、物品の表面に直接接触し、構造化硬化ワニスコーティングにより１つ以上の視覚的効果が生み出される、構造化硬化ワニスコーティングを含む三次元形状を有する衝撃押出し型物品が提供される。別の実施形態では、物品は、消費者製品またはパッケージまたはこれらの構成要素である。一実施形態では、物品は、容器またはチューブである。
【００５１】
別の実施形態では、１つ以上のインク、構造化硬化ワニスコーティングを備え、ワニスコーティング、インクまたはこれらの組み合わせが容器表面に直接接触する、三次元形状を有する衝撃押出し型物品が提供される。構造化硬化ワニスコーティングにより、１つ以上の視覚的効果が生み出される。別の実施形態では、物品は、消費者製品またはパッケージまたはこれらの構成要素である。別の実施形態では、物品は、容器またはチューブである。
【００５２】
一実施形態では、構造化硬化ワニスコーティングは、１）物品または容器を提供するステップと、２）放射線硬化ワニスの層を物品に付着させるステップと、３）構造化マスターフィルムを使用するなどの方法で、放射線硬化性ワニスの層であるワニスにパターンを押し付けるステップと、４）ワニス層においてマスターフィルムを押し付けながらワニスを硬化させるステップと、５）マスターフィルムを除去するステップ、とにより形成される。
【００５３】
別の実施形態では、構造化硬化ワニスコーティングは、１）物品を提供するステップと、２）インクまたはインクの組み合わせおよびワニス層を物品に付着させるステップと、３）ワニスを用いずにインクを塗布した場合、放射線硬化ワニス層を物品に付着させるステップと、４）構造化マスターフィルムを放射線硬化ワニス層に押し付けるステップと、５）本ワニス層においてマスターフィルムを押し付けながら、ワニスを硬化させるステップと、６）マスターフィルムを除去するステップ、により形成される。
【００５４】
物品または容器の表面に対するインクの付着を向上させるために、印刷前に物品または容器の表面を処理または改質してもよい。表面処理及び表面改質には、ｉ）コロナ処理、プラズマ処理及び火炎処理などの機械的処理、並びにｉｉ）プライマー処理が挙げられる。表面処理及び表面改質は、当業者には既知である。
【００５５】
「発明を実施するための形態」で引用する全ての文献は、関連部分において本明細書に参照により組み込まれるが、いずれの文献の引用も、それが本発明に関する先行技術であることを容認するものとして解釈されるべきではない。この文書における用語のいずれかの意味又は定義が、参考として組み込まれる文献における用語のいずれかの意味又は定義と対立する範囲では、本文書におけるその用語に与えられた意味又は定義を優先するものとする。
【００５６】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【国際調査報告】
2016501783.tif 000002
2016501783.tif 000003
2016501783.tif 000004